(57)【要約】【課題】磁気ディスク装置が電力供給状態では衝撃を与えぬように使用者に通知する手段を有する電子機器を提供することを目的とする。【解決手段】電子機器１は通信リンク確立要求Ｃ１を無線モジュール制御部１２ａで受信（Ｓ１）し、表示部制御部１５ａへ電子機器１への衝撃禁止通知アイコン３ｃ点灯開始命令Ｃ２を送信し（Ｓ２）表示部３に表示されるアイコン３ｃを点灯させる（Ｓ３）。電源スイッチコントローラ１２ｄへ磁気ディスク装置４への電力供給開始命令Ｃ３を送信し（Ｓ４）スイッチ２０をオンにし電力供給が開始される（Ｓ５）。電力供給開始後、磁気ディスクへのアクセスを開始し（Ｓ６）アクセス終了後（Ｓ７）電源スイッチコントローラ１２ｄに磁気ディスク装置４への電力供給終了命令Ｃ４を送信し（Ｓ９）電力供給は終了する（Ｓ１０）。表示部制御部１５ａにアイコン３ｃの消灯命令Ｃ５を送信し（Ｓ１１）アイコン３ｃを消灯させる（Ｓ１２）。【選択図】  図４
2004199745.tif 000002
【特許請求の範囲】
【請求項１】
周辺機器との間で通信可能であり、ディスク装置を有する電子機器において、
前記周辺機器から前記ディスク装置へのアクセス要求を受信する受信部と、
前記受信部で受信した前記アクセス要求に基いて、通知を開始する通知部と、
前記通知部を用いて通知を開始した後、前記ディスク装置へ電力供給を開始する電源制御部と、
を具備することを特徴とする電子機器。
【請求項２】
周辺機器との間で通信可能であり、ディスク装置を有する電子機器において、
本体電源スイッチオン動作を検知する検知部と、
前記検知部で検知した前記スイッチオン動作に基いて、通知を開始する通知部と、
前記通知部を用いて通知を開始した後、前記ディスク装置へ電力供給を開始する電源制御部と、
を具備することを特徴とする電子機器。
【請求項３】
周辺機器との間で通信可能であり、ディスク装置を有する電子機器において、
前記周辺機器から前記ディスク装置へのアクセス要求を受信する受信部と、
前記受信部で受信した前記アクセス要求に基いて、前記ディスク装置へ電力供給を開始する電源制御部と、
前記電源制御部で前記ディスク装置へ電力供給を開始後、通知を開始する通知部と、
を具備することを特徴とする電子機器。
【請求項４】
前記ディスク装置への電力供給開始後、前記周辺機器から前記ディスク装置へのアクセスを制御する制御部と、
前記制御部による前記ディスク装置へのアクセス制御が終了後、前記ディスク装置への電力供給を終了させる電源制御部と、
前記電源制御部が前記ディスク装置への電力供給を終了させた後、通知部による通知を終了させる通知部制御部と、
を具備することを特徴とする請求項１及び２記載の電子機器。
【請求項５】
前記通知部による通知を開始した後、前記周辺機器から前記ディスクへのアクセスを制御する制御部と、
前記制御部による前記ディスクへのアクセス制御が終了後、前記ディスク装置への電力供給を終了させる電源制御部と、
前記電源制御部が前記ディスク装置への電力供給を終了させた後、通知部による通知を終了させる通知部制御部と、
を具備することを特徴とする請求項３記載の電子機器。
【請求項６】
前記周辺機器と有線通信で通信し、前記ディスク装置へのアクセス要求は、前記周辺機器から送信された情報の前記ディスク装置の有するディスクへの記憶開始要求、又は前記ディスクに記憶されている情報の読み込み開始要求であることを特徴とする請求項１，２及び３記載の電子機器。
【請求項７】
前記周辺機器と有線通信で通信し、前記ディスク装置へのアクセス要求は、前記ディスク装置の有するディスクの設定開始要求であることを特徴とする請求項１，２及び３記載の電子機器。
【請求項８】
前記周辺機器と無線通信で通信し、前記ディスク装置へのアクセス開始要求は、前記周辺機器から送信された情報の前記ディスク装置の有するディスクへの記憶開始要求、又は前記ディスクに記憶されている情報の読み込み開始要求であることを特徴とする請求項１，２及び３記載の電子機器。
【請求項９】
前記周辺機器と無線通信で通信し、前記ディスク装置へのアクセス開始要求は、前記ディスク装置の有するディスクの設定開始要求であることを特徴とする請求項１，２及び３記載の電子機器。
【請求項１０】
周辺機器との間で通信可能であり、磁気ディスク装置を有する電子機器への衝撃禁止を通知する通知方法において、
前記周辺機器から前記磁気ディスク装置へのアクセス要求を受信し、
前記アクセス要求を受信後、通知を開始することを特徴とする通知方法。
【発明の詳細な説明】
【０００１】
【発明の属する技術分野】
本発明は、電子機器に係り、特に磁気ディスク装置を具備する電子機器に関する。
【０００２】
【従来の技術】従来の磁気ディスク装置において、磁気ディスク上の磁気ヘッドの位置を測定し、測定された磁気ヘッドの位置に基いて、ロード状態（磁気ヘッドが磁気ディスク上に浮上している状態）か否かを判別し、その判別結果は表示ランプを用いて表示されていた（特許文献１参照）。
【０００３】
さらに、磁気ディスクの外側に設けられた機構と、先端に磁気ヘッドが取り付けられアクチュエータで回動されるアームとが接触した時をアンロード状態として検出し、アンロード状態以外の状態、すなわちロード状態の時に発光ダイオードを点灯させていた（特許文献２参照）。
【０００４】
【特許文献１】特開平８−４５２０３号公報（第３、４頁）
【０００５】
【特許文献２】特開平５−２６６５７３号公報（第３頁）
【０００６】
【発明が解決しようとする課題】上記、従来の技術は以下の問題点を有する。
【０００７】
磁気ディスク装置への電力供給が開始され磁気ヘッドが先端に取り付けられているアームの駆動が開始される時刻と表示ランプ等の点灯を開始する時刻との間の時間帯、すなわち磁気ヘッドが不安定な状態であるにもかかわらず表示ランプ等が点灯されない時間帯において、使用者がこの磁気ディスク装置を有する電子機器に衝撃を与えると、磁気ヘッドと磁気ディスクとが接触し、磁気ディスクが破損される可能性がある。
【０００８】
本発明は上記問題を鑑みてなされたもので、磁気ディスク装置に電力が供給されている状態では、使用者に対し衝撃をあたえぬように通知する手段を有する電子機器を提供することを目的とする。
【０００９】
【課題を解決するための手段】
上記目的を達成するために、請求項１に係る発明では、周辺機器との間で通信可能であり、ディスク装置を有する電子機器において、周辺機器からディスク装置へのアクセス要求を受信する受信部と、受信部で受信したアクセス要求に基いて、通知を開始する通知部と、通知部を用いて通知を開始した後、ディスク装置へ電力供給を開始する電源制御部とを具備することを特徴とする。
【００１０】
また、請求項１０に係る発明では、周辺機器との間で通信可能であり、磁気ディスク装置を有する電子機器への衝撃禁止を通知する通知方法において、周辺機器から磁気ディスク装置へのアクセス要求を受信し、アクセス要求を受信後、通知を開始することを特徴とする。
【００１１】
このような構成により、磁気ディスク装置故障の可能性を低下させることが可能となる。
【００１２】
【発明の実施の形態】
以下本発明に係る実施の形態を、図面を参照して説明する。
【００１３】
図１は、記憶装置を有する電子機器と周辺機器とが接続された状態を表す図である。
【００１４】
本発明に係る記憶装置を有する電子機器１の上面に表示部３を設ける。表示部３は、使用者に対し当該電子機器１の状態を通知する。電子機器１の内部に磁気ディスク装置（ディスク装置）４及び無線モジュール５を設ける。さらに電子機器１の側面に本体電源スイッチ６及びＵＳＢ（Ｕｎｉｖｅｒｓａｌ  Ｓｅｒｉａｌ  Ｂｕｓ）コネクタ７を設ける。本体電源スイッチ６をオンにすると、表示部３及び無線モジュール５等に電力供給を開始する。
【００１５】
周辺機器２は電子機器１との間でデータの転送等を行なうことが可能である。また、周辺機器２は電子機器１に関する設定を行なう。周辺機器２を使用して行なわれる電子機器１の設定内容とは、例えば電子機器１の有する磁気ディスク装置４の有する磁気ディスクの設定である。磁気ディスクの設定内容は、例えば、磁気ディスクに記憶されているファイルを再配置し、記憶部の断片化を解消することで記憶装置の最適化を図るデフラグ処理である。また、スキャンディスク処理、フォーマット処理といった内容も磁気ディスクの設定内容である。
【００１６】
周辺機器２の内部に無線モジュール９が設けられている。また周辺機器２の側面にＵＳＢコネクタ１０を設ける。
【００１７】
電子機器１と周辺機器２との間で行なわれるデータ転送等を始めとする通信の形態は、無線通信又は有線通信である。無線通信の場合、電子機器１に設けられる無線モジュール５及び周辺機器２に設けられる無線モジュール９を用いて通信が行われる。また、有線通信の場合、電子機器１に設けられるＵＳＢコネクタ７及び周辺機器２に設けられるＵＳＢコネクタ１０、それぞれにＵＳＢケーブル３を挿入し、有線通信が行われる。
【００１８】
尚、電子機器１と周辺機器２は、ＵＳＢケーブル８で接続されるのみならず、ＩＥＥＥ１３９４に準拠した通信を行なうために使用されるケーブル等で接続されてもよい。
【００１９】
図２は、記憶装置を有する電子機器のハードウェアブロック図である。
【００２０】
図３は、表示部上に表示されるアイコンを示した図である。
【００２１】
第１のブリッジ回路１２は、ＣＰＵ１１、メインメモリ１３、ＦｌａｓｈＲＯＭ１４、磁気ディスク装置４、無線モジュール５及び第２のブリッジ回路１５と接続される。ＣＰＵ１１は、ＦｌａｓｈＲＯＭ１４に記憶されたプログラムを実行する装置で、データの演算等を行なう。メインメモリ１３には、電子機器１の通信相手デバイスから転送されたデータが一時的に書き込まれる。
【００２２】
ＦｌａｓｈＲＯＭ１４は、電気的に書換えのできる読み出し専用の記憶装置である。ＦｌａｓｈＲＯＭ１４上に記憶されるプログラムは、電力供給が行なわれていない状態においてでも消去されない。このＦｌａｓｈＲＯＭ１４上に記憶されるプログラムは、電子機器１を構成するハードウェアの制御等を行なう基本的なシステムプログラムである。
【００２３】
無線モジュール５は、他の無線モジュールを搭載する機器と無線通信を行なう際、データの送受信、変復調等を行なう。磁気ディスク装置４が有する磁気ディスクにデータを記憶する。例えば、通信相手デバイスから無線モジュール５を介して転送されるデータを記憶する。
【００２４】
第２のブリッジ回路１５は、表示部３、ＵＳＢコネクタ７及びＩ／Ｏコントローラ１９と接続される。Ｉ／Ｏコントローラ１９は、本体電源スイッチ６及び電源コントローラ１６と接続される。本体電源スイッチ６のスイッチをオンにすると、無線モジュール５等に電力が供給される。
【００２５】
電源コントローラ１６は、バッテリ１７及びＡＣアダプタ接続部１８に接続される。電源コントローラ１６は、バッテリ１７及びＡＣアダプタ接続部１８から供給される電力に関する管理、例えば、ＡＣ電源からＡＣアダプタ接続部１８を介してＡＣ電力をバッテリ１７に充電等を行なう。またバッテリ１７から電源コントローラ１６を介して第２のブリッジ回路１５に電力供給を行っている。
【００２６】
表示部（通知部）３に、無線通信状況通知アイコン３ａ、ＵＳＢケーブル８の接続状況通知アイコン３ｂ、電子機器１への衝撃禁止通知アイコン３ｃ、バッテリ１７の保有する電力残量状況通知アイコン３ｄ等を設ける（図３参照。）。例えば、電子機器１への衝撃禁止通知アイコン３ｃを点灯させることで、「磁気ディスク装置４への電力供給時は磁気ディスク上に磁気ヘッドが存在する可能性があるので、電子機器１へ衝撃を与えてはならない。」ということを電子機器１の使用者に通知する。ＵＳＢコネクタ７は、図１で説明したＵＳＢケーブル８の挿入口である。
【００２７】
図４は、電子機器に設けられる第１のブリッジ回路及び第２のブリッジ回路の詳細を表した図である。
【００２８】
ここで、図４における電子機器１に設けられる第１のブリッジ回路１２及び第２のブリッジ回路１５の詳細を表した図は、第１のブリッジ回路１２及び第２のブリッジ回路１５を中心として説明した図であり、図２を用いて説明した電子機器１を構成する全てのハードウェアを記載していない。
【００２９】
第１のブリッジ回路１２内に無線モジュール制御部１２ａ、磁気ディスク装置制御部１２ｂ、第１のＵＳＢ制御部１２ｃ及び電源スイッチコントローラ１２ｄを設ける。無線モジュール制御部（受信部）１２ａは無線モジュール５に関する制御を行う。例えば、無線モジュール制御部１２ａは電子機器１と無線通信を行う相手デバイスから送信される通信リンク確立要求命令、及びデータ転送開始要求命令等を受け付ける。
【００３０】
磁気ディスク装置制御部１２ｂは、磁気ディスク装置４に関する制御を行っている。例えば、磁気ディスク装置４への電力供給に関する制御等を行う。
【００３１】
第１のＵＳＢ制御部１２ｃは、データ転送開始要求命令を受け付ける等、ＵＳＢを用いたデータ転送に関する制御を行う。
【００３２】
電源スイッチコントローラ１２ｄは、磁気ディスク装置４への電力供給の制御を行なう。電源スイッチコントローラ１２からスイッチ２０へスイッチオン命令が送信されることでスイッチ２０がオン状態へ移行し、バッテリ１７及びＡＣアダプタ接続部１８から電源コントローラ１６を介して磁気ディスク装置４へ電力供給が開始される。
【００３３】
第２のブリッジ回路１５内に表示部制御部（通知部制御部）１５ａ、第２のＵＳＢ制御部１５ｂを設ける。表示部制御部１５ａは、表示部３に関する制御を行う。例えば、表示部の点灯、消灯の制御、表示部上のどのアイコンを点灯させるか等の制御を行う。また、第２のＵＳＢ制御部１５ｂは、ＵＳＢを介した通信リンクの接続及び切断に関する監視等を行う。
【００３４】
第１の実施例を説明する。図５及び図６を用いて説明する。
【００３５】
図５は第１の実施例を説明するフローチャートである。図６は磁気ディスクへのアクセス終了後の処理手順を説明するフローチャートである。
【００３６】
電子機器１は無線通信を行う相手デバイスから送信される通信リンク確立要求Ｃ１を無線モジュール制御部１２ａで受信する（Ｓ１）。要求Ｃ１を受信後、電子機器１と相手デバイスとの間で通信リンクを確立し、さらに相手デバイスから電子機器１へデータ転送が開始される。この転送されたデータは、図２を用いて説明したメインメモリ１３に一時的に記憶される。
【００３７】
要求Ｃ１を受信後、無線モジュール制御部１２ａから表示部制御部１５ａへアイコン３ｃ点灯開始命令Ｃ２を送信する（Ｓ２）。表示部制御部１５ａは命令Ｃ２を受信し、表示部３の電子機器１への衝撃禁止通知アイコン３ｃを点灯させる（Ｓ３）。
【００３８】
無線モジュール制御部１２ａは、通信リンク確立要求Ｃ１を受信し、表示部制御部１５ａへ電子機器１への衝撃禁止通知アイコン３ｃの点灯開始命令Ｃ３を送信後、電源スイッチコントローラ１２ｄに対し、磁気ディスク装置４への電力供給開始命令Ｃ３を送信する（Ｓ４）。電源スイッチコントローラ１２ｄは命令Ｃ３を受信後、スイッチ２０をオンに状態にし、電源コントローラ１６を介して磁気ディスク装置４に対して電力供給が開始される（Ｓ５）。
【００３９】
電力供給開始後、磁気ディスク装置制御部１２ｂは、メインメモリ１３に一時的に記憶されている相手デバイスから転送されたデータを、磁気ディスク装置４の有する磁気ディスクへ記憶する等のアクセスを開始する（Ｓ６）。磁気ディスク装置４へのアクセスの終了後（Ｓ７）、磁気ディスクへのアクセス終了後の処理ステップに移行する（Ｓ８）。
【００４０】
磁気ディスク装置制御部１２ｂは磁気ディスクへのアクセス終了を検知し、電源スイッチコントローラ１２ｄに対し、磁気ディスク装置４への電力供給終了命令Ｃ４を送信する（Ｓ９）。電源スイッチコントローラ１２ｄは命令Ｃ４を受信し、スイッチ２０をオフにすることで、磁気ディスク４に対して行われていた電力供給が終了する（Ｓ１０）。
【００４１】
磁気ディスク装置制御部１２ｂは、電源スイッチコントローラ１２ｄへ磁気ディスク装置４への電力供給終了命令Ｃ４を送信後、表示部制御部１５ａに対し、表示部３に表示される電子機器１への衝撃禁止通知アイコン３ｃの消灯命令Ｃ５を送信する（Ｓ１１）。表示部制御部１５ａは命令Ｃ５を受信し、表示部３の電子機器１への衝撃禁止通知アイコン３ｃを消灯させる（Ｓ１２）。
【００４２】
磁気ディスク装置４に電力が供給され、磁気ディスクへのデータの書き込み等が開始される前に、予め表示部３の電子機器１への衝撃禁止通知アイコン３ｃを点灯させ、使用者に「磁気ディスク装置４への電力供給時は磁気ディスク上に磁気ヘッドが存在する可能性があるので、電子機器１へ衝撃を与えてはならない。」と通知することで、磁気ディスク装置４へのデータ書き込み等が開始される前から、使用者の電子機器１に衝撃を与えるといった乱雑な取り扱いを防止し、磁気ディスクの破損を回避することが可能となる。
【００４３】
尚、上記第１の実施例の説明では、電子機器１と周辺機器２間で行われるデータ転送が無線通信手段を使用して行われる場合を説明したが、電子機器１と周辺機器２間をＵＳＢケーブル８で接続することで行われる有線通信手段を使用する場合は、以下の説明となる。
【００４４】
第１のＵＳＢ制御部１２ｃは、ＵＳＢケーブル８を介して周辺機器２から送信されてくるデータ転送開始要求を検知する。検知後、第１のＵＳＢ制御部１２ｃから表示部制御部１５ａへアイコン３ｃ点灯開始命令を送信する。それ以降の処理は、図５を用いて説明したＳ３以降の処理と同様である。
【００４５】
第２の実施例を説明する。図６及び図７を用いて説明する。
【００４６】
図６は磁気ディスクへのアクセス終了後の処理手順を説明するフローチャートである。図７は第２の実施例を説明するフローチャートである。
【００４７】
電子機器１は周辺機器２から送信される「磁気ディスクに関する設定開始要求Ｃ６」を第１のＵＳＢ制御部１２ｃで受信する（Ｓ１３）。
要求Ｃ６を受信後、第１のＵＳＢ制御部１２ｃから表示部制御部１５ａへアイコン３ｃ点灯開始命令Ｃ７を送信する（Ｓ１４）。表示部制御部１５ａは命令Ｃ７を受信し、表示部３の電子機器１への衝撃禁止通知アイコン３ｃを点灯させる（Ｓ１５）。
【００４８】
第１のＵＳＢ制御部１２ｃは、設定開始要求Ｃ６を受信し、表示部制御部１５ａへ電子機器１への衝撃禁止通知アイコン３ｃの点灯開始命令Ｃ７を送信後、電源スイッチコントローラ１２ｄに対し、磁気ディスク装置４への電力供給開始命令Ｃ８を送信する（Ｓ１６）。電源スイッチコントローラ１２ｄは命令Ｃ８を受信後、スイッチ２０をオンに状態にし、電源コントローラ１６を介して磁気ディスク装置４に対して電力供給が開始される（Ｓ１７）。
【００４９】
電力供給開始後、磁気ディスク装置制御部１２ｂは、磁気ディスク装置４の有する磁気ディスクへのアクセスを開始させる（Ｓ１８）。磁気ディスク装置４へのアクセスの終了後（Ｓ１９）、磁気ディスクへのアクセス終了後の処理ステップに移行する（Ｓ２０）。
【００５０】
磁気ディスクへのアクセス終了後の処理ステップの説明は、第１の実施例の説明において図６を用いて説明した（Ｓ９）以降のステップの説明と同様である。
【００５１】
磁気ディスク装置４に電力が供給され、磁気ディスクに関する設定が開始される前に、予め表示部３の電子機器１への衝撃禁止通知アイコン３ｃを点灯させ、使用者に「磁気ディスク装置４への電力供給時は磁気ディスク上に磁気ヘッドが存在する可能性があるので、電子機器１へ衝撃を与えてはならない。」と通知することで、磁気ディスク装置４へのデータ書き込み等が開始される前から、使用者の電子機器１に衝撃を与えるといった乱雑な取り扱いを防止し、磁気ディスクの破損を回避することが可能となる。
【００５２】
第３の実施例を説明する。図６及び図８を用いて説明する。
【００５３】
図６は磁気ディスクへのアクセス終了後の処理手順を説明するフローチャートである。図８は第３の実施例を説明するフローチャートである。
【００５４】
使用者は本体電源スイッチ６をオンにする（Ｓ２１）。Ｉ／Ｏコントローラ（検知部）１９は、本体電源スイッチ６がオンされたことを検知する（Ｓ２２）。Ｉ／Ｏコントローラ１９から表示部制御部１５ａへアイコン３ｃ点灯開始命令Ｃ９を送信する（Ｓ２３）。表示部制御部１５ａは命令Ｃ９を受信し、表示部３の電子機器１への衝撃禁止通知アイコン３ｃを点灯させる（Ｓ２４）。
【００５５】
Ｉ／Ｏコントローラ１９は本体電源スイッチ６がオンされたことを検知し、表示部制御部１５ａへ電子機器１への衝撃禁止通知アイコン３ｃの点灯開始命令Ｃ９を送信後、
電源スイッチコントローラ１２ｄに対し、磁気ディスク装置４への電力供給開始命令Ｃ１０を送信する（Ｓ２５）。電源スイッチコントローラ１２ｄは命令Ｃ１０を受信後、スイッチ２０をオンに状態にし、電源コントローラ１６を介して磁気ディスク装置４に対して電力供給が開始される（Ｓ２６）。
【００５６】
電力供給開始後、磁気ディスク装置制御部１２ｂは、磁気ディスク装置４の有する磁気ディスクへのアクセスを開始させる（Ｓ２７）。磁気ディスク装置４へのアクセスの終了後（Ｓ２８）、磁気ディスクへのアクセス終了後の処理ステップに移行する（Ｓ２９）。
【００５７】
磁気ディスクへのアクセス終了後の処理ステップの説明は、第１の実施例の説明において図６を用いて説明した（Ｓ９）以降のステップの説明と同様である。
【００５８】
本体電源スイッチ６をオンにし、表示部３の電子機器１への衝撃禁止通知アイコン３−ｃを点灯させ、使用者に「磁気ディスク装置４への電力供給時は磁気ディスク上に磁気ヘッドが存在する可能性があるので、電子機器１へ衝撃を与えてはならない。」と通知することで、磁気ディスク装置４への電力供給が開始される前から、使用者の電子機器１に衝撃を与えるといった乱雑な取り扱いを防止し、磁気ディスクの破損を回避することが可能となる。
【００５９】
第４の実施例を説明する。図６及び図９を用いて説明する。
【００６０】
図６は磁気ディスクへのアクセス終了後の処理手順を説明するフローチャートである。図９は第４の実施例を説明するフローチャートである。
【００６１】
電子機器１は無線通信を行う相手デバイスから送信される通信リンク確立要求Ｃ１を無線モジュール制御部１２ａで受信する（Ｓ３０）。要求Ｃ１を受信後、電子機器１と相手デバイスとの間で通信リンクを確立し、さらに相手デバイスから電子機器１へデータ転送が開始される。この転送されたデータは、図２を用いて説明したメインメモリ１３に一時的に記憶される。
【００６２】
要求Ｃ１を受信後、無線モジュール制御部１２ａから、電源スイッチコントローラ１２ｄに対し、磁気ディスク装置４への電力供給開始命令Ｃ３を送信する（Ｓ３１）。電源スイッチコントローラ１２ｄは命令Ｃ３を受信後、スイッチ２０をオンに状態にし、電源コントローラ１６を介して磁気ディスク装置４に対して電力供給が開始される（Ｓ３２）。
【００６３】
無線モジュール制御部１２ａは、通信リンク確立要求Ｃ１を受信し、電源コントローラ１６へ磁気ディスク装置４への電力供給開始命令Ｃ３を送信後、表示部制御部１５ａへアイコン３ｃ点灯開始命令Ｃ２を送信する（Ｓ３３）。表示部制御部１５ａは命令Ｃ２を受信し、表示部３の電子機器１への衝撃禁止通知アイコン３ｃを点灯させる（Ｓ３４）。
【００６４】
電子機器１への衝撃禁止通知アイコン３ｃを点灯開始後、磁気ディスク装置制御部１２ｂは、メインメモリ１３に一時的に記憶されている相手デバイスから転送されたデータを、磁気ディスク装置４の有する磁気ディスクへ記憶する等のアクセスを開始する（Ｓ３５）。磁気ディスク装置４へのアクセスの終了後（Ｓ３６）、磁気ディスクへのアクセス終了後の処理ステップに移行する（Ｓ３７）。
【００６５】
磁気ディスクへのアクセス終了後の処理ステップの説明は、第１の実施例の説明において図６を用いて説明した（Ｓ９）以降のステップの説明と同様である。
【００６６】
磁気ディスク装置４に電力が供給し、表示部３の電子機器１への衝撃禁止通知アイコン３ｃを点灯させ、その後、磁気ディスクへのデータの書き込み等が開始される前に、使用者に「磁気ディスク装置４への電力供給時は磁気ディスク上に磁気ヘッドが存在する可能性があるので、電子機器１へ衝撃を与えてはならない。」と通知することで、磁気ディスク装置４へのデータ書き込み等が開始される前から、使用者の電子機器１に衝撃を与えるといった乱雑な取り扱いを防止し、磁気ディスクの破損を回避することが可能となる。
【００６７】
本発明ではその主旨を逸脱しない範囲であれば、上記の実施形態に限定されるものではない。そして、磁気ディスクを有し、頻繁に携帯する電子機器に広く適用できるものである。
【００６８】
【発明の効果】
以上詳述した発明によれば、磁気ディスク装置の故障の可能性を低下させることが可能である。
【図面の簡単な説明】
【図１】記憶装置を有する電子機器と周辺機器とが接続された状態を表す図。
【図２】記憶装置を有する電子機器のハードウェアブロック図。
【図３】表示部上に表示されるアイコンを示した図。
【図４】電子機器に設けられる第１のブリッジ回路及び第２のブリッジ回路の詳細を表した図。
【図５】第１の実施例を説明するフローチャート。
【図６】磁気ディスクへのアクセス終了後の処理手順を説明するフローチャート。
【図７】第２の実施例を説明するフローチャート。
【図８】第３の実施例を説明するフローチャート。
【図９】第４の実施例を説明するフローチャート。
【符号の説明】
１…記憶装置を有する電子機器、２…周辺機器、３…表示部、
３ａ…無線通信状況通知アイコン、３ｂ…接続状況通知アイコン、
３ｃ…衝撃禁止通知アイコン、３ｄ…電力残量状況通知アイコン、
４…磁気ディスク、５，９…無線モジュール、６…本体電源スイッチ、
７，１０…ＵＳＢコネクタ、８…ＵＳＢケーブル、１１…ＣＰＵ、
１２…第１のブリッジ回路、１２ａ…無線モジュール制御部、
１２ｂ…磁気ディスク装置制御部、１２ｃ…第１のＵＳＢ制御部、
１２ｄ…電源スイッチコントローラ、１３…メインメモリ、
１４…ＦｌａｓｈＲＯＭ、１５…第２のブリッジ回路、
１５ａ…表示部制御部、１５ｂ…第２のＵＳＢ制御部、
１６…電源コントローラ、１７…バッテリ、１８…ＡＣアダプタ接続部、
１９…Ｉ／Ｏコントローラ、２０…スイッチ、
【図１】
2004199745.tif 000003
【図２】
2004199745.tif 000004
【図３】
2004199745.tif 000005
【図４】
2004199745.tif 000006
【図５】
2004199745.tif 000007
【図６】
2004199745.tif 000008
【図７】
2004199745.tif 000009
【図８】
2004199745.tif 000010
【図９】
2004199745.tif 000011